(57)【要約】【課題】  吊戸の取り付け作業を容易にする吊戸取り付け用冶具および、吊戸の施工方法を提案する。【解決手段】  吊戸１の上端に設けられた係止凹部２に、上レール３に沿って走行自在の吊具４から垂下した支持凸部５を側方から挿し込むことでなす吊戸取り付け作業を補助する吊戸取り付け用冶具６であって、吊戸１の上端面７に載置される板部８を備えており、板部８の一辺には呼び込み開口部９が設けられており、呼び込み開口部９の開口側は係止凹部２よりも幅広にすることで支持凸部５を呼び込み、開口側から奥側へと向かうにつれ幅が狭くなることで支持凸部５は奥側へとガイドされ、奥側は係止凹部２に合致するように載置することで、呼び込んだ支持凸部５を係止凹部２へと導く。【選択図】図１
2007085139.tif 000002
【特許請求の範囲】
【請求項１】
吊戸の上端に設けられた係止凹部に、上レールに沿って走行自在の吊具から垂下した支持凸部を側方から挿し込むことでなす吊戸取り付け作業を補助する吊戸取り付け用冶具であって、吊戸の上端面に載置される板部を備えており、板部の一辺には呼び込み開口部が設けられており、呼び込み開口部の開口側は係止凹部よりも幅広にすることで支持凸部を呼び込み、開口側から奥側へと向かうにつれ幅が狭くなることで支持凸部は奥側へとガイドされ、奥側は係止凹部に合致するように載置することで、呼び込んだ支持凸部を係止凹部へと導くものであることを特徴とする吊戸取り付け用冶具。
【請求項２】
吊戸は二つの戸板を繋いだ二つ折戸であり、二つ折戸の両端を同時に吊り込むときに用いる吊戸取り付け用冶具であって、板部は二つの戸板の上端をまたがるように載置され、板部の一辺には呼び込み開口部が二つ設けられていることを特徴とする請求項１記載の吊戸取り付け用冶具。
【請求項３】
板部には、折り曲げられた二つ折戸の間に挟み込むことで、二つ折戸の開き角度を規定するスペーサー部が設けられていることを特徴とする請求項２記載の吊戸取り付け用冶具。
【請求項４】
吊戸の係止凹部に支持凸部を側方から挿し込む作業において、請求項１〜３のいずれか一項記載の吊戸取り付け用冶具を補助的に用いることを特徴とした吊戸の施工方法。
【発明の詳細な説明】
【技術分野】
【０００１】
本願発明はクローゼット扉に使用されるような吊戸を、戸枠に設けられた上レールに取り付けるときに用いる吊戸取り付け用冶具および吊戸の施工方法に関するものである。
【背景技術】
【０００２】
従来から、特開２００５−６８８５６号公報（特許文献１）に示されるように、クローゼット扉等に使われる吊戸の施工方法は知られている。この吊戸の施工方法は、図５、６に示すように、吊戸１の上端に固着部１２を設け、戸枠に沿設された上レール３に上レール３に沿って走行自在の吊具４を支持し、吊具４から垂下した支持凸部５を固着部１２に設けられた係止凹部２に取り付けることで吊戸１を上レール３に吊り下げるものである。支持凸部５は係止凹部２に側方から挿し込むことで固着部１２に固定されるものであって、ネジ止めなどの作業は必要なく施工できる。
【特許文献１】特開２００５−６８８５６号公報
【発明の開示】
【発明が解決しようとする課題】
【０００３】
しかしながら、上記従来例である吊戸の施工方法にあっては、係止凹部２を上から垂下した支持凸部５の手前に正確に配置しなければ、支持凸部５を係止凹部２に挿し込むことはできない。更に、この工程では吊戸１を支えながら位置合わせをする必要があり、困難な作業を要するものであった。
【０００４】
本願発明は、上記背景技術に鑑みて発明されたものであり、その課題は吊戸の取り付け作業を容易にする吊戸取り付け用冶具および、この吊戸取り付け用冶具を用いてする吊戸の施工方法を提案することである。
【課題を解決するための手段】
【０００５】
上記課題を解決するために、本願請求項１記載の発明では、吊戸の上端に設けられた係止凹部に、上レールに沿って走行自在の吊具から垂下した支持凸部を側方から挿し込むことでなす吊戸取り付け作業を補助する吊戸取り付け用冶具であって、吊戸上端面に載置される板部を備えており、板部の一辺には呼び込み開口部が設けられており、呼び込み開口部の開口側は係止凹部よりも幅広にすることで支持凸部を呼び込み、開口側から奥側へと向かうにつれ幅が狭くなることで支持凸部は奥側へとガイドされ、奥側は係止凹部に合致するように載置することで、呼び込んだ支持凸部を係止凹部へと導くことを特徴としている。
【０００６】
又、本願請求項２記載の発明では、上記請求項１記載の吊戸取り付け用冶具において、吊戸は二つの戸板を繋いだ二つ折戸であり、二つの折戸の両端を同時に吊り込むときに用いる吊戸取り付け用冶具であって、板部は二つの戸板の上端をまたがるように設置され、板部の一辺には呼び込み開口部が二つ設けられていることを特徴としている。
【０００７】
又、本願請求項３記載の発明では、上記請求項２記載の吊戸取り付け用冶具において、板部には、折り曲げられた二つ折戸の間に挟み込むことで、二つ折戸の開き角度を規定するスペーサー部が設けられていることを特徴としている。
【０００８】
又、本願請求項４記載の発明では、吊戸の係止凹部に支持凸部を側方から挿し込む作業において、請求項１〜３のいずれか一項記載の吊戸取り付け用冶具を補助的に用いることを特徴としている。
【発明の効果】
【０００９】
本願請求項１記載の発明の吊戸取り付け用冶具においては、吊戸取り付け用冶具を吊戸上端面に載置することで、係止凹部を支持凸部の手前に正確に配置しなくても、幅広の呼び込み開口部の開口幅内に支持凸部がくるように配置すれば、支持凸部はガイドされ係止凹部に取り付けることができるため、吊戸の取り付け作業が容易になるものである。
【００１０】
又、本願請求項２記載の発明の吊戸取り付け用冶具においては、板部の一辺に呼び込み開口部を二つ設けることにより、二つ折戸の両端を同時に吊り込むことができるため、特に吊り込み式の二つ折戸の施工において、吊り込み作業がさらに容易になるものである。
【００１１】
又、本願請求項３記載の発明の吊戸取り付け用冶具においては、板部に設けられたスペーサー部を折り曲げられた二つ折戸の間に挟み込むことで、吊戸取り付け用冶具は二つ折戸の間に固定され、取り付け時に二つ折戸の上端面で板部が動いて位置がずれたり、二つ折戸から外れたりすることがなくなる。更に、スペーサー部を挟み込むことで二つ折戸の開き角度が規定されるため、その開き角度に合わせて二つの支持凸部を配置することで、二つの呼び込み開口部にそれぞれ支持凸部を一つずつ確実に呼び込むことができ、二つ折戸の吊り込み作業がより容易になるものである。
【００１２】
又、本願請求項４記載の発明の吊戸の施工方法においては、吊戸取り付け用冶具を用いることで、吊戸の取り付けが容易になるものである。
【発明を実施するための最良の形態】
【００１３】
図１、２は、本願請求項１〜４全てに対応した第一の実施形態である吊戸取り付け用冶具および吊戸の施工方法を示している。図１に示された吊戸１は二つ折戸であって、吊戸１の上端に設けられた係止凹部２に、上レール３に沿って走行自在の吊具４から垂下した支持凸部５を側方から挿し込むことで、吊戸１は取り付けられる構造になっている。又、この吊戸取り付け用冶具６は、板部８を備えており、板部８の一辺には開口側が係止凹部２よりも幅広の呼び込み開口部９が二つ設けられている。更に、板部８の二つの呼び込み開口部９の間からは、スペーサー部１１が垂下している。
【００１４】
この吊戸取り付け用冶具６は、板部８が二つの戸板１０の上端をまたがるように載置し、呼び込み開口部９の奥側を係止凹部２に合致させる。更に、スペーサー部１１を折り曲げられた二つ折戸の間に挟み込むことで、吊戸取り付け用冶具６を固定すると同時に二つ折戸の開き角度を規定し、この状態で吊戸１の取り付け作業を行う。
【００１５】
以下、この実施形態の吊戸取り付け用冶具および吊戸の施工方法を、より具体的詳細に説明する。図１には、吊戸１、吊具４、吊戸取り付け用冶具６が示されている。吊戸１は二つの戸板１０を繋いだ二つ折戸であり、各戸板１０には繋がれている側とは反対側の側端面１３から上端面７にかけて、係止凹部２が設けられている。この係止凹部２は、側方から挿し込まれた支持凸部５を完全に固定する構造になっている。
【００１６】
吊具４は上レール３に沿って走行自在に取り付けられており、吊具４からは支持凸部５が垂下している。二つ折戸は二つの吊具４で吊り込むようになっており、二つの支持凸部５は一定間隔以内に狭めると、吊具４同士が接触することで、それ以上間隔が狭まらないようになっている。これは、二つ折戸を完全に折り曲げた状態で吊り込むと動作性が悪くなるため、二つ折戸をある程度開いた状態に保つためのものである。
【００１７】
吊戸取り付け用冶具６は、板部８、呼び込み開口部９、スペーサー部１１から成っており、板部８は上レール３と吊戸１の上端面７との隙間に入る程度の薄い板でできている。呼び込み開口部９は、板部８の一辺に二つ設けられており、開口側は係止凹部２よりも幅広で、戸板１０の厚み幅と同程度の開口幅を有している。呼び込み開口部９の開口幅は奥側にいくほど連続的に狭くなり、係止凹部２と同程度の開口幅になったところからは、奥端まで一定の開口幅になる。スペーサー部１１は直方体形状で、板部８の二つの呼び込み開口部９の間から垂下しており、板部８も合わせた全体としてＴ時型の形状となる。又、このスペーサー部１１は上レール３と吊戸１の上端面７との隙間から吊戸取り付け用冶具６を取り出せる程度の厚みであるものとする。ただし、この実施形態はスペーサー部１１が板部８から着脱可能である場合であってもよく、この場合は、特にスペーサー部１１の厚みの制限はないものとする。
【００１８】
なお、この吊戸取り付け用冶具６は金属、木材、プラスチックあるいはゴム製品等の弾性体等でできており、弾性体でできている場合は手で伸縮させることができる。ただし、この弾性体は板部８やスペーサー部１１に用いられた場合にも、吊戸取り付け用冶具６として有効に作用するだけの強度は備えているものとする。
【００１９】
この吊戸取り付け用冶具６を用いた、二つ折戸の具体的な取り付け方法は、まず二つ折戸を折り曲げた状態で、呼び込み開口部９と係止凹部２の開口側が同方向を向くように、板部８を二つの戸板１０の上端にまたがって載置し、スペーサー部１１を二つの戸板１０で挟み込む。次に、呼び込み開口部９の奥側を係止凹部２に合致させ、開口側は戸板１０からはみ出した図２に示される状態にする。ここでは、係止凹部２そのものを幅広に形成するのに比して、より以上に呼び込み開口部９の開口側が幅広に形成されている。
【００２０】
この状態のまま、二つ折戸の上端面７を上レール３に近づけていき、戸板１０からはみだした呼び込み開口部９の開口側に吊具４から垂下した支持凸部５を呼び込む。呼び込んだ支持凸部５は呼び込み開口部９によってガイドされ、係止凹部２に挿し込まれ固定される。最後に、吊戸取り付け用冶具６の取り外し作業において、まず、板部８を上に引き上げることで挟み込まれたスペーサー部１１を解放し、上レール３と戸板１０との隙間から板部８を引っ張り出すことで吊戸取り付け用冶具６を取り外し、二つ折戸の取り付け作業は完了する。なお、スペーサー部１１が板部８から着脱可能である場合は、まずスペーサー部１１を板部８から取り外して板部８を引っ張り出してから、二つ折戸を開きスペーサー部１１を解放して、板部８とスペーサー部１１を別個に回収する。
【００２１】
したがって、この実施形態の吊戸取り付け用冶具および吊戸の施工方法においては、呼び込み開口部９は、係止凹部２よりも幅広で戸板１０の厚み幅と同程度の開口幅を有しており、この呼び込み開口部９を介して支持凸部５を取り付けるため、従来例のような開口幅の狭い係止凹部２に支持凸部５を直接取り付ける場合と比較して、吊戸１の取り付け作業を容易にすることができる。又、板部８の一辺には呼び込み開口部９が二つ設けられており、二つ折戸を吊り込む場合において、二つ折戸の両端を同時に吊り込むことができ、二つ折戸の取り付け作業を容易にすることができる。
【００２２】
吊戸取り付け用冶具６には、スペーサー部１１が設けられており、このスペーサー部１１を二つ折戸の間に挟み込むことによって、取り付け時に二つ折戸の上端面７で板部８が動いて位置がずれたり、吊戸取り付け用冶具６が二つ折戸から外れたりすることがなくなり、確実に二つ折戸の間に吊戸取り付け用冶具６を固定することができる。又、スペーサー部１１を挟み込むことで二つ折戸の開き角度が規定されるため、その開き角度に合わせて二つの支持凸部５を配置することで、二つの呼び込み開口部９にそれぞれ支持凸部５を一つずつ確実に呼び込むことができ、二つ折戸の吊り込み作業をより容易にすることができる。更に、スペーサー部１１が板部８から着脱可能である場合、吊り込み完了後、スペーサー部１１を板部８から取り外すことによって、容易に吊戸取り付け用冶具６を二つ折戸から取り外すことができる。
【００２３】
吊戸取り付け用冶具６がゴム製品等の弾性体等でできている場合、板部８およびスペーサー部１１が伸縮するため、上レール３と吊戸１の上端面７との狭い隙間からも、容易に吊戸取り付け用冶具６を引っ張り出すことができる。
【００２４】
図３は、本願請求項１〜４全てに対応した第二の実施形態である吊戸取り付け用冶具および吊戸の施工方法を示している。なお、ここでは、上記第一の実施形態と相違する事項についてのみ説明し、その他の事項（構成、作用効果等）については、上記第一の実施形態と同様であるのでその説明を省略する。この吊戸取り付け用冶具６は、図３に示すように上面図として見ると、スペーサー部１１がコの字型になっており、コの字の開口方向が呼び込み開口部９の開口方向と同じ方向になるように設けられている。又、このスペーサー部１１は板部８の奥側に設けられており、開口側にはスペースがあるため、呼び込み開口部９の開口幅を第一の実施形態よりも広くとることができる。したがって、支持凸部５をさらに呼び込みやすくなり、吊戸の取り付け作業をさらに容易にすることができる。
【００２５】
図４は、本願請求項１、４に対応した第三の実施形態である吊戸取り付け用冶具および吊戸の施工方法を示している。なお、ここでは、上記第一の実施形態と相違する事項についてのみ説明し、その他の事項（構成、作用効果等）については、上記第一の実施形態と同様であるのでその説明を省略する。この吊戸取り付け用冶具６は、主に引戸を吊り込むときに用いるものであり、引戸は戸板１０上部の両端を吊り込むことにより上レール３に取り付けられる。この引戸には、引戸の裏面１４から上端面７にかけて係止凹部２が設けられている。
【００２６】
この吊戸取り付け用冶具６の板部８には呼び込み開口部９が一つ設けられており、板部８の開口側と反対側の辺からは、その辺に沿って後方嵌合部１５が垂下している。又、板部８において、呼び込み開口部９の開口幅が奥側にいくほど狭くなっていく部分と、開口幅が一定になる部分との境界位置から前方嵌合部１６が垂下しており、この前方嵌合部１６は後方嵌合部１５と向かい合う状態で、呼び込み開口部９をはさんで二箇所に設けられている。この後方嵌合部１５と前方嵌合部１６とで、引戸の上端部と嵌合させることで、吊戸取り付け用冶具６は引戸に取り付けられる。
【００２７】
したがって、この吊戸取り付け用冶具６においては、係止凹部２が戸板１０の裏面１４に設けられていたとしても、吊り込み作業時に有効に用いることができ、吊戸の取り付け作業を容易にすることができる。
【図面の簡単な説明】
【００２８】
【図１】本願発明の第一の実施形態である吊戸取り付け用冶具および吊戸の施工方法を示す斜視図。
【図２】同吊戸取り付け用冶具の吊戸上端面に取り付けた状態を示す上面図。
【図３】本願発明の第二の実施形態である吊戸取り付け用冶具の吊戸上端面に取り付けた状態を示す上面図。
【図４】本願発明の第三の実施形態である吊戸取り付け用冶具および吊戸の施工方法を示す斜視図。
【図５】従来例である吊戸の施工方法を示す斜視図。
【図６】従来例である吊戸の施工方法を示す斜視図。
【符号の説明】
【００２９】
１  吊戸
２  係止凹部
３  上レール
４  吊具
５  支持凸部
６  吊戸取り付け用冶具
７  上端面
８  板部
９  呼び込み開口部
10  戸板
11スペーサー部
12固着部
13側端面
14裏面
15前方嵌合部
16後方嵌合部
【図１】
2007085139.tif 000003
【図２】
2007085139.tif 000004
【図３】
2007085139.tif 000005
【図４】
2007085139.tif 000006
【図５】
2007085139.tif 000007
【図６】
2007085139.tif 000008